(57)【要約】【課題】精製水製造装置および精製水供給ラインの汚染を抑えることができ、汚染を抑えるための作業の手間がかからず、汚染を抑えるための作業のために精製水製造装置を搬送する必要がない精製水製造装置内蔵カウンターおよびそのメンテナンス方法を提供する。【解決手段】収納カウンター２と；収納カウンター２の収納空間に収納された精製水製造装置１０と；第１の端部が精製水製造装置１０の精製水出口２２に接続され、第２の端部が収納カウンター２の外部の他のラインと接続可能に配置された精製水供給ライン１０２と；排水を外部に排出する排水ライン（第１の精製水返送ライン１１０、装置用排水ライン３６、第１の排水導入ライン１０６、主排水ライン１０４）と；精製水供給ライン１０２の第２の端部に着脱可能に接続し、精製水供給ライン１０２を通過した精製水を排水ラインに直接送水するバイパスライン１１４とを備えた精製水製造装置内蔵カウンター１。【選択図】図１
2018103128.tif 000002
【特許請求の範囲】
【請求項１】
内部に収納空間を有する収納カウンターと、
前記収納カウンターの収納空間に収納された精製水製造装置と、
第１の端部が前記精製水製造装置の精製水出口に接続され、第２の端部が前記収納カウンターの外部の他のラインと接続可能に配置された精製水供給ラインと、
排水を外部に排出する排水ラインと、
前記精製水供給ラインの第２の端部に着脱可能に接続し、前記精製水供給ラインを通過した精製水を前記排水ラインに直接送水するバイパスラインと
を備えた、精製水製造装置内蔵カウンター。
【請求項２】
前記バイパスラインの途中には、前記バイパスラインを流れる前記精製水の一部を取り出せるサンプルポートが設けられている、請求項１に記載の精製水製造装置内蔵カウンター。
【請求項３】
前記精製水製造装置から前記排水ラインへの前記精製水の送水開始および送水停止を制御する制御手段をさらに備えた、請求項１または２に記載の精製水製造装置内蔵カウンター。
【請求項４】
前記精製水を加熱する加熱手段、および前記精製水に薬液原液を添加する薬液原液添加手段のいずれか一方または両方をさらに備えた、請求項１〜３のいずれか一項に記載の精製水製造装置内蔵カウンター。
【請求項５】
前記加熱手段の駆動および前記薬液原液添加手段の駆動のいずれか一方または両方を制御する制御手段をさらに備えた、請求項４に記載の精製水製造装置内蔵カウンター。
【請求項６】
請求項１〜５のいずれか一項に記載の精製水製造装置内蔵カウンターのメンテナンス方法であり、
定期的に、前記精製水製造装置で精製水を製造し、前記精製水を前記精製水供給ラインおよび前記バイパスラインを経由して前記排水ラインに送水する、精製水製造装置内蔵カウンターのメンテナンス方法。
【発明の詳細な説明】
【技術分野】
【０００１】
本発明は、精製水製造装置内蔵カウンターおよびそのメンテナンス方法に関する。
【背景技術】
【０００２】
透析治療には、精製水を製造する精製水製造装置と、精製水と透析原剤とから透析液を調製し、透析液を用いて透析を行う透析装置とを備えた透析システムが用いられる（例えば、特許文献１参照）。
透析システムとしては、使用時に病室や治療室まで搬送された、小型の個人用精製水製造装置と小型の個人用透析装置とを精製水供給ラインで接続したものが知られている。
【先行技術文献】
【特許文献】
【０００３】
【特許文献１】特許第５４２５５２７号公報
【発明の概要】
【発明が解決しようとする課題】
【０００４】
個人用精製水製造装置は、未使用時には保管専用の部屋に搬送され、そこで保管される。そのため、個人用精製水製造装置を保管専用の部屋と病室や治療室との間で往復させるための手間がかかる。
【０００５】
また、個人用精製水製造装置は、個人用精製水製造装置および精製水供給ラインに精製水が滞留した状態で保管されるため、滞留水が細菌やエンドトキシンによって汚染されやすい。そのため、個人用精製水製造装置を保管する際には、個人用精製水製造装置および精製水供給ラインの精製水をホルマリン液に置換した状態にする必要がある。しかし、個人用精製水製造装置を使用する際には、個人用精製水製造装置および精製水供給ラインからホルマリン液を排出し、さらに残留したホルマリンを完全に除去するためにすすぎを行う必要がある。このように、個人用精製水製造装置および精製水供給ラインが細菌やエンドトキシンによって汚染されないように個人用精製水製造装置を補完するためには、手間がかかる。
【０００６】
ホルマリン液を用いることなく、保管中の個人用精製水製造装置および精製水供給ラインの汚染を抑える方法としては、定期的に精製水供給ラインと外部の排水ラインとを手作業で接続し、精製水製造装置にて精製水を製造し、精製水供給ラインを通過した精製水を排水ラインに排出した後、精製水供給ラインと外部の排水ラインとを手作業で取り外す作業によって、個人用精製水製造装置および精製水供給ラインにおける精製水の長時間の滞留を防止する方法が考えられる。しかし、滞留水の細菌やエンドトキシンによる汚染を十分に抑えるためには、前記作業を頻繁に繰り返す必要があり、非常に手間がかかる。また、手技による作業となることから、個人用精製水製造装置および精製水供給ラインに外部から菌が混入し、個人用精製水製造装置および精製水供給ラインが汚染されるおそれがある。
【０００７】
本発明は、精製水製造装置および精製水供給ラインの汚染を抑えることができ、汚染を抑えるための作業の手間がかからず、汚染を抑えるための作業のために精製水製造装置を搬送する必要がない精製水製造装置内蔵カウンターおよびそのメンテナンス方法を提供する。
【課題を解決するための手段】
【０００８】
本発明は、下記の態様を有する。
＜１＞内部に収納空間を有する収納カウンターと；前記収納カウンターの収納空間に収納された精製水製造装置と；第１の端部が前記精製水製造装置の精製水出口に接続され、第２の端部が前記収納カウンターの外部の他のラインと接続可能に配置された精製水供給ラインと；排水を外部に排出する排水ラインと；前記精製水供給ラインの第２の端部に着脱可能に接続し、前記精製水供給ラインを通過した精製水を前記排水ラインに直接送水するバイパスラインとを備えた、精製水製造装置内蔵カウンター。
＜２＞前記バイパスラインの途中には、前記バイパスラインを流れる前記精製水の一部を取り出せるサンプルポートが設けられている、前記＜１＞の精製水製造装置内蔵カウンター。
＜３＞前記精製水製造装置から前記排水ラインへの前記精製水の送水開始および送水停止を制御する制御手段をさらに備えた、前記＜１＞または＜２＞の精製水製造装置内蔵カウンター。
＜４＞前記精製水を加熱する加熱手段、および前記精製水に薬液原液を添加する薬液原液添加手段のいずれか一方または両方をさらに備えた、前記＜１＞〜＜３＞のいずれかの精製水製造装置内蔵カウンター。
＜５＞前記加熱手段の駆動および前記薬液原液添加手段の駆動のいずれか一方または両方を制御する制御手段をさらに備えた、前記＜４＞の精製水製造装置内蔵カウンター。
＜６＞前記＜１＞〜＜５＞のいずれかの精製水製造装置内蔵カウンターのメンテナンス方法であり；定期的に、前記精製水製造装置で精製水を製造し、前記精製水を前記精製水供給ラインおよび前記バイパスラインを経由して前記排水ラインに送水する、精製水製造装置内蔵カウンターのメンテナンス方法。
【発明の効果】
【０００９】
本発明の精製水製造装置内蔵カウンターは、精製水製造装置および精製水供給ラインの汚染を抑えることができ、汚染を抑えるための作業の手間がかからず、汚染を抑えるための作業のために精製水製造装置を搬送する必要がない。
本発明の精製水製造装置内蔵カウンターのメンテナンス方法によれば、精製水製造装置および精製水供給ラインの汚染を抑えることができ、汚染を抑えるための作業の手間がかからず、汚染を抑えるための作業のために精製水製造装置を搬送する必要がない。
【図面の簡単な説明】
【００１０】
【図１】本発明の精製水製造装置内蔵カウンターの一例を示す概略構成図である。
【図２】図１の精製水製造装置内蔵カウンターに個人用透析装置を接続した様子を示す概略構成図である。
【図３】本発明の精製水製造装置内蔵カウンターの他の例を示す概略構成図である。
【図４】図３の精製水製造装置内蔵カウンターに個人用透析装置を接続した様子を示す概略構成図である。
【発明を実施するための形態】
【００１１】
＜＜第１の実施形態＞＞
＜精製水製造装置内蔵カウンター＞
図１は、本発明の精製水製造装置内蔵カウンターの第１の実施形態を示す概略構成図である。
精製水製造装置内蔵カウンター１は、内部に収納空間を有する収納カウンター２と；収納カウンター２の収納空間に収納された、精製水を製造する精製水製造装置１０と；第１の端部が水道等に接続され、第２の端部が精製水製造装置１０の原水入口２０に接続された給水ライン１００と；第１の端部が精製水製造装置１０の精製水出口２２に接続され、第２の端部が収納カウンター２の正面に外部の他のラインと接続可能に配置された精製水供給ライン１０２と；精製水製造装置内蔵カウンター１および後述する個人用透析装置にて発生した排水を外部に排出するための主排水ライン１０４（排水ライン）と；第１の端部が精製水製造装置１０の排水出口２６に接続され、第２の端部が主排水ライン１０４に合流する第１の排水導入ライン１０６（排水ライン）と；第１の端部が収納カウンター２の正面に外部の他のラインと接続可能に配置され、第２の端部が主排水ライン１０４に合流する第２の排水導入ライン１０８（排水ライン）と；第１の端部が収納カウンター２の正面に外部の他のラインと接続可能に配置され、第２の端部が精製水製造装置１０の第１の精製水入口２４に接続された、精製水を収納カウンター２の外部から精製水製造装置１０に返送する第１の精製水返送ライン１１０（排水ライン）と；第１の端部が精製水供給ライン１０２の第２の端部に着脱可能に接続し、第２の端部が第１の精製水返送ライン１１０の第１の端部に着脱可能に接続し、精製水供給ライン１０２を通過した精製水を後述する個人用透析装置を通さずに、精製水返送ライン１１０に直接送水するバイパスライン１１４とを備える。
【００１２】
精製水製造装置内蔵カウンター１は、さらに、第１の精製水返送ライン１１０の途中に設けられた逆止弁１２６を備える。
精製水製造装置内蔵カウンター１は、さらに、精製水製造装置１０に電気的に接続されて精製水製造装置１０の制御を行う制御装置８０（制御手段）と；制御装置８０の入力装置および表示装置として収納カウンター２の正面に取り付けられ、制御装置８０に電気的に接続されたディスプレイタッチパネル８２とを備える。
【００１３】
精製水製造装置内蔵カウンター１は、さらに精製水供給ライン１０２の途中に設けられた、限外ろ過膜フィルタ９０を備える。限外ろ過膜フィルタ９０は、精製水供給ライン１０２中の細菌、エンドトキシンの除去のために設けられる。
【００１４】
（収納カウンター）
収納カウンター２は、病室、治療室等に備え付けられる設備であり、医療用機器等の収納、病室、治療室等における水廻り等として用いられる。
収納カウンター２は、精製水製造装置１０を収納するための収納空間を内部に有する。
収納カウンター２には、水廻りのための配管が配設されている。
【００１５】
（精製水製造装置）
精製水製造装置１０は、給水ライン１００を経由して水道等から供給される原水中の残留塩素を除去する活性炭が収納された活性炭フィルタ１２と；活性炭でろ過された原水を逆浸透膜でろ過して精製水を得る逆浸透膜モジュール１４とを備える。
【００１６】
精製水製造装置１０は、さらに、第１の端部が原水入口２０で給水ライン１００に接続し、第２の端部が活性炭フィルタ１２に接続した原水供給ライン３０と；第１の端部が活性炭フィルタ１２に接続し、第２の端部が逆浸透膜モジュール１４に接続した原水移送ライン３２と；第１の端部が逆浸透膜モジュール１４に接続し、第２の端部が精製水出口２２で精製水供給ライン１０２に接続した精製水移送ライン３４と；第１の端部が第１の精製水入口２４で第１の精製水返送ライン１１０に接続し、第２の端部が排水出口２６で第１の排水導入ライン１０６に接続した、精製水製造装置１０に返送または精製水製造装置１０にて発生した排水を装置外に排出するための装置用排水ライン３６（排水ライン）と；第１の端部が逆浸透膜モジュール１４に接続し、第２の端部が装置用排水ライン３６に接続した濃縮水排出ライン３８と；第１の端部が濃縮水排出ライン３８の途中から分岐し、第２の端部が原水移送ライン３２に合流する濃縮水返送ライン４０とを備える。
【００１７】
精製水製造装置１０は、さらに、濃縮水返送ライン４０が合流する箇所よりも上流側の原水移送ライン３２の途中に設けられ、原水移送ライン３２の開閉を行う電磁弁５０と；濃縮水返送ライン４０の途中に設けられた逆止弁５２とを備える。
精製水製造装置１０は、さらに、濃縮水返送ライン４０が合流する箇所よりも下流側の原水移送ライン３２の途中に設けられた加圧ポンプ６０を備える。
【００１８】
精製水製造装置１０は、さらに、精製水移送ライン３４の途中に設けられた水質センサ７０および流量センサ７２を備える。
電磁弁５０、加圧ポンプ６０、水質センサ７０、流量センサ７２等には、これらの制御を行う制御装置８０が電気的に接続されている。
【００１９】
逆浸透膜モジュール１４としては、精製水製造装置で通常用いられている逆浸透膜モジュールを用いればよく、特に限定はされない。逆浸透膜モジュールとしては、例えば、特許第４９９０７１０号公報に記載のスパイラル型逆浸透膜モジュール等が挙げられる。スパイラル型逆浸透膜モジュールは、集水管のまわりに逆浸透膜を巻き回した円柱状の逆浸透膜エレメントを円筒状のケーシングに収納したものであり、原水入口から導入された原水を、逆浸透膜を透過した精製水と逆浸透膜を透過しない濃縮水とに分離するものである。逆浸透膜（ＲＯ膜）としては、精製水製造装置で通常用いられている逆浸透膜を用いればよく、特に限定はされない。逆浸透膜の材質としては、例えば、ポリアミド、ポリスルフォン、酢酸セルロース、ポリアクリロニトリル等が挙げられる。
【００２０】
加圧ポンプ６０に用いられる高圧ポンプとしては、精製水製造装置で通常用いられているものであればよく、特に限定はされない。高圧ポンプとしては、例えば、多段渦巻ポンプ、プランジャーポンプ等が挙げられる。
【００２１】
（精製水供給ライン）
精製水供給ライン１０２は、精製水製造装置１０で製造された精製水を、収納カウンター２の外部にある後述する個人用透析装置に供給するためのラインである。なお、精製水を個人用透析装置に供給する必要がないときには、精製水供給ライン１０２の第２の端部には、バイパスライン１１４の第１の端部が着脱可能に接続される。
精製水供給ライン１０２の第２の端部には、個人用透析装置が有する導水管、バイパスライン１１４等を着脱可能に接続するためのコネクタが設けられている。
【００２２】
（排水ライン）
第１の精製水返送ライン１１０、装置用排水ライン３６、第１の排水導入ライン１０６および主排水ライン１０４は、精製水製造装置内蔵カウンター１にて発生した排水を外部に排出するための排水ラインである。
また、第２の排水導入ライン１０８および主排水ライン１０４は、後述する個人用透析装置にて発生した排水を外部に排出するための排水ラインである。
【００２３】
第２の排水導入ライン１０８の第１の端部には、個人用透析装置が有する排水管の末端が着脱可能に接続される。なお、精製水を個人用透析装置に供給する必要がないときには、第２の排水導入ライン１０８の第１の端部には、個人用透析装置が有する排水管の末端を接続しなくてもよい。第２の排水導入ライン１０８の第１の端部には、個人用透析装置が有する排水管等を着脱可能に接続するためのコネクタが設けられている。
【００２４】
主排水ライン１０４は、施設の天井、床、壁、収納カウンター２等の内側または外側に配設され、少なくとも第１の排水導入ライン１０６の第１の端部および第２の排水導入ライン１０８の第１の端部が収納カウンター２に配設されている。
【００２５】
精製水製造装置内蔵カウンター１および個人用透析装置にて発生する排水としては、逆浸透膜モジュール１４から排出された濃縮水；個人用透析装置にて用いられて不要になった排水；精製水移送ライン３４、精製水供給ライン１０２、バイパスライン１１４、第１の精製水返送ライン１１０等に精製水が滞留して汚染された滞留水等が挙げられる。
【００２６】
（精製水返送ライン）
第１の精製水返送ライン１１０は、精製水を収納カウンター２の外部から精製水製造装置１０に返送するためのラインである。
第１の精製水返送ライン１１０を通って精製水製造装置１０に返送された精製水は、装置用排水ライン３６、第１の排水導入ライン１０６、主排水ライン１０４を経由して外部に排出される。
第１の精製水返送ライン１１０の第１の端部には、バイパスライン１１４の第２の端部が着脱可能に接続される。第１の精製水返送ライン１１０の第１の端部には、バイパスライン１１４等を着脱可能に接続するためのコネクタが設けられている。
【００２７】
（バイパスライン）
バイパスライン１１４は、精製水を個人用透析装置に供給する必要がないときに、精製水供給ライン１０２を通過した精製水を個人用透析装置を通さずに、排水ライン（第１の精製水返送ライン１１０、装置用排水ライン３６、第１の排水導入ライン１０６、主排水ライン１０４）に直接送水するためのラインである。
バイパスライン１１４の第１の端部には、精製水供給ライン１０２の第２の端部が着脱可能に接続される。バイパスライン１１４の第２の端部には、第１の精製水返送ライン１１０の第１の端部が着脱可能に接続される。なお、精製水を個人用透析装置に供給する際には、バイパスライン１１４の第１の端部は、精製水供給ライン１０２の第２の端部から取り外される。
【００２８】
バイパスライン１１４は、通常、フレキシブルチューブから構成され、精製水供給ライン１０２の第２の端部および、第１の精製水返送ライン１１０の第１の端部との着脱が容易に行えるようにされている。
バイパスライン１１４の第１の端部および第２の端部には、精製水供給ライン１０２の第２の端部および、第１の精製水返送ライン１１０の第１の端部を着脱可能に接続するためのコネクタが設けられている。
バイパスライン１１４の途中には、バイパスライン１１４を流れる精製水の一部を取り出せるサンプルポート１３２が設けられる。
バイパスライン１１４には、必要に応じて、バイパスライン１１４の開閉を行う電磁弁等を設けてもよい。
【００２９】
（制御手段）
制御装置８０は、処理部（図示略）と、インターフェイス部（図示略）と、カレンダータイマ（図示略）とを有して概略構成される。
また、制御装置８０には、入力装置および表示装置として、ディスプレイタッチパネル８２が電気的に接続されている。
【００３０】
制御装置８０は、精製水製造装置１０から排水ラインへの精製水の送水開始および送水停止；個人用透析装置への精製水の供給開始および供給停止等を制御し、かつこれらの制御を必要に応じてカレンダータイマに設定された任意の日時に行うことができるものである。
【００３１】
カレンダータイマは、年月日および時刻を管理する時計部と、精製水製造装置の運転スケジュールを記憶する記憶部とを有する。カレンダータイマは、記憶部に記憶された設定日時に電気信号を発信できるようにされている。
【００３２】
インターフェイス部は、電磁弁５０、加圧ポンプ６０、水質センサ７０、流量センサ７２、ディスプレイタッチパネル８２等と、処理部との間を電気的に接続するものである。
【００３３】
処理部は、カレンダータイマからの電気信号、処理部に入力された操作信号等に基づいて、電磁弁５０の開閉、加圧ポンプ６０の駆動等を制御するものである。
処理部は、具体的には、例えば下記の制御を行うものである。
【００３４】
処理部は、精製水製造装置１０において精製水を製造するとともに、精製水製造装置１０から排水ラインに精製水を送水する際には、精製水供給ライン１０２の第２の端部にバイパスライン１１４の第１の端部が接続され、かつ第１の精製水返送ライン１１０の第１の端部にバイパスライン１１４の第２の端部が接続された状態で、精製水製造装置１０における電磁弁５０を開き、加圧ポンプ６０を駆動させることによって、活性炭フィルタ１２および逆浸透膜モジュール１４への原水の供給、ならびに逆浸透膜モジュール１４で得られた精製水の、精製水移送ライン３４、精製水供給ライン１０２およびバイパスライン１１４を経由した第１の精製水返送ライン１１０（排水ライン）への送水を開始するものである。
【００３５】
処理部は、精製水製造装置１０において精製水の製造を停止するとともに、精製水製造装置１０から排水ラインへの精製水の送水を停止する際には、精製水製造装置１０における加圧ポンプ６０を停止させ、電磁弁５０を閉じることによって、活性炭フィルタ１２および逆浸透膜モジュール１４への原水の供給、ならびに精製水移送ライン３４、精製水供給ライン１０２およびバイパスライン１１４を経由した第１の精製水返送ライン１１０（排水ライン）への精製水の送水を停止するものである。
【００３６】
処理部は、精製水製造装置１０において精製水を製造するとともに、個人用透析装置に精製水を供給する際には、精製水供給ライン１０２の第２の端部に個人用透析装置が有する導水管が接続され、かつ第２の排水導入ライン１０８の第１の端部に個人用透析装置が有する排水管が接続された状態で、精製水製造装置１０における電磁弁５０を開き、加圧ポンプ６０を駆動させることによって、活性炭フィルタ１２および逆浸透膜モジュール１４への原水の供給、ならびに個人用透析装置への精製水の供給を開始するものである。
【００３７】
処理部は、精製水製造装置１０において精製水の製造を停止するとともに、個人用透析装置への精製水の供給を停止する際には、精製水製造装置１０における加圧ポンプ６０を停止させ、電磁弁５０を閉じることによって、個人用透析装置への精製水の供給を停止するものである。
【００３８】
なお、処理部は、専用のハードウエアにより実現されるものであってもよく、処理部は、メモリおよび中央演算装置（ＣＰＵ）によって構成され、処理部の機能を実現するためのプログラムをメモリにロードして実行することによりその機能を実現させるものであってもよい。
【００３９】
（作用機序）
１．以上説明した第１の実施形態の精製水製造装置内蔵カウンター１にあっては、第１の端部が精製水製造装置１０の精製水出口２２に接続され、第２の端部が収納カウンター２の外部の他のラインと接続可能に配置された精製水供給ライン１０２と；精製水を収納カウンター２の外部から精製水製造装置１０に返送する第１の精製水返送ライン１１０（排水ライン）と；精製水供給ライン１０２の第２の端部に着脱可能に接続し、精製水供給ライン１０２を通過した精製水を第１の精製水返送ライン１１０に直接送水するバイパスライン１１４とを備えているため、精製水を個人用透析装置で使用しないときであっても、精製水製造装置１０で製造された精製水を精製水供給ライン１０２に流すことができる。そのため、精製水製造装置１０および精製水供給ライン１０２の滞留水をバイパスライン１１４を経由して第１の精製水返送ライン１１０に排出できる。その結果、精製水製造装置１０および精製水供給ライン１０２の汚染を抑えることができる。
また、精製水供給ライン１０２の第２の端部がバイパスライン１１４で密栓されて開放状態にないため、精製水供給ライン１０２の第２の端部に菌が付着しにくくなる。その結果、精製水供給ライン１０２の滞留水において細菌やエンドトキシンが発生しにくい。
また、病室、治療室等に備え付けの収納カウンター２に精製水製造装置１０を収納したままで、精製水製造装置１０および精製水供給ライン１０２からの滞留水の排出を行うことができるため、精製水製造装置１０および精製水供給ライン１０２の汚染を抑えるための作業の手間がかからず、汚染を抑えるための作業のために精製水製造装置１０を搬送する必要がない。
【００４０】
２．また、以上説明した第１の実施形態の精製水製造装置内蔵カウンター１にあっては、バイパスライン１１４の途中には、バイパスライン１１４を流れる精製水の一部を取り出せるサンプルポート１３２が設けられているため、バイパスライン１１４内を流れる精製水を容易にかつ汚染されることなく抜き出すことができる。また、バイパスライン１１４の滞留水を排水できる。これにより、汚染に対するより厳しい要求に応えることができる。
【００４１】
３．また、以上説明した第１の実施形態の精製水製造装置内蔵カウンター１にあっては、精製水製造装置１０から排水ラインへの精製水の送水開始および送水停止を制御する制御装置８０をさらに備えるため、定期的に精製水製造装置１０および精製水供給ライン１０２の滞留水の排出を行うことができる。
【００４２】
＜精製水製造装置内蔵カウンターのメンテナンス方法＞
精製水を後述する個人用透析装置に供給する必要がないときには、精製水供給ライン１０２の第２の端部にバイパスライン１１４の第１の端部が接続され、かつ第１の精製水返送ライン１１０の第１の端部にバイパスライン１１４の第２の端部が接続された状態で、精製水製造装置内蔵カウンター１のメンテナンス（保守管理）が行われる。
以下、第１の実施形態の精製水製造装置内蔵カウンター１のメンテナンス方法について具体的に説明する。
【００４３】
（精製水製造装置から排水ラインへの精製水の送水）
精製水製造装置１０において精製水を製造するとともに、精製水製造装置１０から排水ラインに精製水を送水する際には、制御装置８０の処理部によって、精製水製造装置１０における電磁弁５０を開き、加圧ポンプ６０を駆動させる。これによって、活性炭フィルタ１２および逆浸透膜モジュール１４への原水の供給が開始される。
【００４４】
給水ライン１００から原水供給ライン３０を通って供給された原水は、活性炭フィルタ１２に通される。活性炭フィルタ１２にて原水中の残留塩素を除去された原水は、原水移送ライン３２を通り、原水移送ライン３２の加圧ポンプ６０によって昇圧された後、逆浸透膜モジュール１４に供給される。逆浸透膜モジュール１４に供給された原水の一部は、逆浸透膜を透過して精製水となり、精製水移送ライン３４に排出される。一方、逆浸透膜を透過しなかった残りの原水は濃縮水となり、濃縮水排出ライン３８を通って装置用排水ライン３６から装置外に排出される。濃縮水の一部は、濃縮水排出ライン３８から分岐した濃縮水返送ライン４０を経由して原水移送ライン３２に返送され、原水として再利用される。
【００４５】
逆浸透膜モジュール１４で得られた精製水は、精製水移送ライン３４、精製水供給ライン１０２およびバイパスライン１１４を経由して第１の精製水返送ライン１１０（排水ライン）に送水される。これによって、精製水製造装置１０（精製水移送ライン３４）および精製水供給ライン１０２に滞留していた滞留水がバイパスライン１１４を経由して第１の精製水返送ライン１１０に排出される。
第１の精製水返送ライン１１０に送水された精製水（滞留水）は、第１の精製水返送ライン１１０、装置用排水ライン３６、第１の排水導入ライン１０６および主排水ライン１０４を経由して外部に排出される。
【００４６】
所定時間経過後、制御装置８０の処理部によって、精製水製造装置１０における加圧ポンプ６０を停止させ、電磁弁５０を閉じることによって、活性炭フィルタ１２および逆浸透膜モジュール１４への原水の供給、ならびに精製水移送ライン３４、精製水供給ライン１０２およびバイパスライン１１４を経由した第１の精製水返送ライン１１０（排水ライン）への精製水の送水を停止する。
【００４７】
精製水製造装置１０から排水ラインへの精製水の送水は、例えば、制御装置８０のカレンダータイマの記憶部に記憶された運転スケジュールに基づいて行われる。
精製水製造装置１０から排水ラインに精製水を送水する頻度は、３０〜１８０分間に１回が好ましい。精製水製造装置１０から排水ラインに精製水を送水する時間は、１回あたり１〜１２０分間が好ましい。
【００４８】
（作用機序）
以上説明した第１の実施形態の精製水製造装置内蔵カウンター１のメンテナンス方法にあっては、定期的に、精製水製造装置１０で精製水を製造し、精製水を精製水供給ライン１０２およびバイパスライン１１４を経由して排水ラインに送水するため、精製水製造装置１０および精製水供給ライン１０２の滞留水をバイパスライン１１４を経由して第１の精製水返送ライン１１０に排出できる。その結果、精製水製造装置１０および精製水供給ライン１０２の汚染を抑えることができる。
また、病室、治療室等に備え付けの収納カウンター２に精製水製造装置１０を収納したままで、精製水製造装置１０および精製水供給ライン１０２からの滞留水の排出、ならびに精製水供給ライン１０２等の消毒を行うことができるため、精製水製造装置１０および精製水供給ライン１０２の汚染を抑えるための作業の手間がかからず、汚染を抑えるための作業のために精製水製造装置１０を搬送する必要がない。
【００４９】
＜個人用透析装置への精製水の供給＞
図２は、図１の精製水製造装置内蔵カウンターに個人用透析装置を接続した様子を示す概略構成図である。
精製水を個人用透析装置２００に供給する際には、バイパスライン１１４の第１の端部は、精製水供給ライン１０２の第２の端部から取り外される。そして、精製水供給ライン１０２の第２の端部に、個人用透析装置２００が有する導水管２０２の末端を接続し、第２の排水導入ライン１０８の第１の端部に、個人用透析装置２００が有する排水管２０４の末端を接続する。
【００５０】
精製水製造装置１０において精製水を製造するとともに、個人用透析装置２００に精製水を供給する際には、制御装置８０の処理部によって、精製水製造装置１０における電磁弁５０を開き、加圧ポンプ６０を駆動させることによって、活性炭フィルタ１２および逆浸透膜モジュール１４への原水の供給、ならびに個人用透析装置２００への精製水の供給を開始する。個人用透析装置２００からの排水は、第２の排水導入ライン１０８を経由して主排水ライン１０４に排出される。
【００５１】
精製水製造装置１０において精製水の製造を停止するとともに、個人用透析装置２００への精製水の供給を停止する際には、制御装置８０の処理部によって、精製水製造装置１０における加圧ポンプ６０を停止させ、電磁弁５０を閉じることによって、個人用透析装置２００への精製水の供給を停止する。
【００５２】
＜＜第２の実施形態＞＞
＜精製水製造装置内蔵カウンター＞
図３は、本発明の精製水製造装置内蔵カウンターの第２の実施形態を示す概略構成図である。
以下、第１の実施形態と同じ構成のものについては、同じ符号を付して詳しい説明を省略する。
【００５３】
第２の実施形態の精製水製造装置内蔵カウンター１は、第１の実施形態の精製水製造装置内蔵カウンター１と下記の点で相違する。
・薬液原液を貯留する薬液原液ボトル９２（薬液原液添加手段）と；第１の端部が第１の精製水返送ライン１１０の逆止弁１２６よりも上流側の途中から分岐し、第２の端部が精製水製造装置１０の第２の精製水入口２８に接続された第２の精製水返送ライン１１２と；第１の端部が薬液原液ボトル９２に接続し、第２の端部が精製水供給ライン１０２に合流する薬液原液供給ライン１１６（薬液原液添加手段）と；薬液原液供給ライン１１６が合流する箇所よりも上流側の精製水供給ライン１０２から分岐し、薬液原液供給ライン１１６に合流する洗浄水供給ライン１１８とを備える。
・第１の精製水返送ライン１１０から第２の精製水返送ライン１１２が分岐する箇所に設けられ、精製水の流れを第１の精製水返送ライン１１０側と第２の精製水返送ライン１１２側とに切り替える三方弁１２０と；精製水供給ライン１０２から洗浄水供給ライン１１８が分岐する箇所に設けられ、精製水の流れを精製水供給ライン１０２側と洗浄水供給ライン１１８側とに切り替える三方弁１２２と；洗浄水供給ライン１１８が合流する箇所よりも下流側の薬液原液供給ライン１１６の途中に設けられ、薬液原液供給ライン１１６の開閉を行う電磁弁１２４（薬液原液添加手段）と；洗浄水供給ライン１１８が合流する箇所よりも上流側の薬液原液供給ライン１１６の途中に設けられた逆止弁１２８（薬液原液添加手段）とを備える。
・薬液原液供給ライン１１６の逆止弁１２８よりも上流側の薬液原液ボトル９２の出口付近に設けられた薬液原液ポンプ１３０（薬液原液添加手段）を備える。
・制御装置８０（制御手段）は、精製水製造装置１０に電気的に接続されるとともに、三方弁１２０、三方弁１２２、電磁弁１２４および薬液原液ポンプ１３０に電気的に接続されて精製水製造装置１０、各弁およびポンプの制御を行う。
【００５４】
（精製水製造装置）
第２の実施形態における精製水製造装置１０は、第１の実施形態における精製水製造装置１０と下記の点で相違する。
・第１の端部が第２の精製水入口２８で第１の精製水返送ライン１１０に接続し、第２の端部が原水移送ライン３２に合流する装置内精製水返送ライン４２を備える。
・装置内精製水返送ライン４２の途中に設けられた逆止弁５４を備える。
・逆止弁５４よりも上流側の装置内精製水返送ライン４２の途中に設けられたヒータ９４（加熱手段）および温度センサ（図示略）を備える。
・ヒータ９４および温度センサには、これらの制御を行う制御装置８０が電気的に接続されている。
・電磁弁５０は、濃縮水返送ライン４０および装置内精製水返送ライン４２が合流する箇所よりも上流側の原水移送ライン３２の途中に設けられる。
・加圧ポンプ６０は、濃縮水返送ライン４０および装置内精製水返送ライン４２が合流する箇所よりも下流側の原水移送ライン３２の途中に設けられる。
【００５５】
（精製水返送ライン）
第１の精製水返送ライン１１０および第２の精製水返送ライン１１２は、精製水を収納カウンター２の外部から精製水製造装置１０に返送するためのラインである。
【００５６】
第２の精製水返送ライン１１２を通って精製水製造装置１０に返送された精製水は、装置内精製水返送ライン４２を経由して原水移送ライン３２に戻され、原水として再利用される。また、原水移送ライン３２に戻された精製水は、原水移送ライン３２、精製水移送ライン３４、精製水供給ライン１０２、バイパスライン１１４、第１の精製水返送ライン１１０の一部、第２の精製水返送ライン１１２、装置内精製水返送ライン４２からなる循環ラインを循環する。
【００５７】
（薬液原液添加手段）
薬液原液添加手段は、薬液原液ボトル９２と、薬液原液供給ライン１１６と、電磁弁１２４と、逆止弁１２８と、薬液原液ポンプ１３０とを有して構成され、精製水製造装置１０において精製水に薬液原液を添加するための手段である。薬液原液添加手段を駆動させる、すなわち電磁弁１２４を開き、薬液原液ポンプ１３０を駆動させることによって、精製水供給ライン１０２の精製水に薬液原液が添加される。
【００５８】
（制御手段）
制御装置８０は、処理部（図示略）と、インターフェイス部（図示略）と、カレンダータイマ（図示略）とを有して概略構成される。
また、制御装置８０には、入力装置および表示装置として、ディスプレイタッチパネル８２が電気的に接続されている。
【００５９】
制御装置８０は、精製水製造装置１０から排水ラインへの精製水の送水開始および送水停止；循環ラインへの精製水の循環および循環停止；精製水の加熱開始および加熱停止；精製水への薬液原液の添加開始および添加停止；個人用透析装置への精製水の供給開始および供給停止等を制御し、かつこれらの制御を必要に応じてカレンダータイマに設定された任意の日時に行うことができるものである。
【００６０】
カレンダータイマは、年月日および時刻を管理する時計部と、精製水製造装置の運転スケジュールを記憶する記憶部とを有する。カレンダータイマは、記憶部に記憶された設定日時に電気信号を発信できるようにされている。
【００６１】
インターフェイス部は、水質センサ７０、流量センサ７２、ヒータ９４および温度センサ、ならびに各ラインに設けられた電磁弁、三方弁およびポンプ、ならびにディスプレイタッチパネル８２等と、処理部との間を電気的に接続するものである。
【００６２】
処理部は、カレンダータイマからの電気信号、処理部に入力された操作信号等に基づいて、ヒータ９４の駆動、各ラインに設けられた電磁弁の開閉、三方弁の切り替え、ポンプの駆動等を制御するものである。
処理部は、具体的には、例えば下記の制御を行うものである。
【００６３】
処理部は、精製水製造装置１０において精製水を製造するとともに、精製水製造装置１０から排水ラインに精製水を送水する際には、精製水供給ライン１０２の第２の端部にバイパスライン１１４の第１の端部が接続され、かつ第１の精製水返送ライン１１０の第１の端部にバイパスライン１１４の第２の端部が接続された状態で、精製水製造装置１０における電磁弁５０を開き、薬液原液添加手段における電磁弁１２４を閉じ、三方弁１２２における精製水の流れを精製水供給ライン１０２側に切り替え、三方弁１２０における精製水の流れを第１の精製水返送ライン１１０側に切り替え、加圧ポンプ６０を駆動させることによって、活性炭フィルタ１２および逆浸透膜モジュール１４への原水の供給、ならびに逆浸透膜モジュール１４で得られた精製水の、精製水移送ライン３４、精製水供給ライン１０２およびバイパスライン１１４を経由した第１の精製水返送ライン１１０（排水ライン）への送水を開始するものである。
【００６４】
処理部は、精製水製造装置１０において精製水の製造を停止するとともに、精製水製造装置１０から排水ラインへの精製水の送水を停止する際には、精製水製造装置１０における加圧ポンプ６０を停止させ、電磁弁５０を閉じることによって、活性炭フィルタ１２および逆浸透膜モジュール１４への原水の供給、ならびに精製水移送ライン３４、精製水供給ライン１０２およびバイパスライン１１４を経由した第１の精製水返送ライン１１０（排水ライン）への精製水の送水を停止するものである。
【００６５】
処理部は、原水移送ライン３２、精製水移送ライン３４、精製水供給ライン１０２、バイパスライン１１４、第１の精製水返送ライン１１０の一部、第２の精製水返送ライン１１２、装置内精製水返送ライン４２からなる循環ラインに精製水を循環させる際には、精製水製造装置１０における電磁弁５０を閉じ、三方弁１２０における精製水の流れを第２の精製水返送ライン１１２側に切り替え、加圧ポンプ６０を駆動させることによって、循環ラインにおける精製水の循環を開始するものである。
【００６６】
処理部は、原水移送ライン３２、精製水移送ライン３４、精製水供給ライン１０２、バイパスライン１１４、第１の精製水返送ライン１１０の一部、第２の精製水返送ライン１１２、装置内精製水返送ライン４２からなる循環ラインにおける精製水の循環を停止する際には、精製水製造装置１０における加圧ポンプ６０を停止させることによって、循環ラインにおける精製水の循環を停止するものである。
【００６７】
処理部は、装置内精製水返送ライン４２の精製水を加熱する際には、精製水製造装置１０におけるヒータ９４を駆動させることによって、装置内精製水返送ライン４２の精製水の加熱を開始するものである。
【００６８】
処理部は、装置内精製水返送ライン４２の精製水の加熱を停止する際には、精製水製造装置１０におけるヒータ９４を停止させることによって、装置内精製水返送ライン４２の精製水の加熱を停止するものである。
【００６９】
処理部は、精製水供給ライン１０２の精製水に、薬液原液ボトル９２内に貯留された薬液原液を添加する際には、薬液原液添加手段を駆動させる、すなわち電磁弁１２４を開き、薬液原液ポンプ１３０を駆動させることによって、精製水供給ライン１０２の精製水への薬液原液の添加を開始するものである。
【００７０】
処理部は、精製水供給ライン１０２の精製水への薬液原液の添加を停止する際には、薬液原液ポンプ１３０を停止し、電磁弁１２４を閉じることによって、精製水供給ライン１０２の精製水への薬液原液の添加を停止するものである。
【００７１】
処理部は、精製水製造装置１０において精製水を製造するとともに、個人用透析装置に精製水を供給する際には、精製水供給ライン１０２の第２の端部に個人用透析装置が有する導水管が接続され、かつ第２の排水導入ライン１０８の第１の端部に個人用透析装置が有する排水管が接続された状態で、精製水製造装置１０における電磁弁５０を開き、薬液原液添加手段における電磁弁１２４を閉じ、三方弁１２２における精製水の流れを精製水供給ライン１０２側に切り替え、加圧ポンプ６０を駆動させることによって、活性炭フィルタ１２および逆浸透膜モジュール１４への原水の供給、ならびに個人用透析装置への精製水の供給を開始するものである。
【００７２】
処理部は、精製水製造装置１０において精製水の製造を停止するとともに、個人用透析装置への精製水の供給を停止する際には、精製水製造装置１０における加圧ポンプ６０を停止させ、電磁弁５０を閉じることによって、個人用透析装置への精製水の供給を停止するものである。
【００７３】
なお、処理部は、専用のハードウエアにより実現されるものであってもよく、処理部は、メモリおよび中央演算装置（ＣＰＵ）によって構成され、処理部の機能を実現するためのプログラムをメモリにロードして実行することによりその機能を実現させるものであってもよい。
【００７４】
（作用機序）
以上説明した第２の実施形態の精製水製造装置内蔵カウンター１にあっては、第１の実施形態の精製水製造装置内蔵カウンター１の作用機序１〜３に加え、以下の作用機序を有する。
【００７５】
４．以上説明した第２の実施形態の精製水製造装置内蔵カウンター１にあっては、精製水を加熱する加熱手段（ヒータ９４）が設けられているため、精製水を加熱して得られた熱水を、原水移送ライン３２、精製水移送ライン３４、精製水供給ライン１０２、バイパスライン１１４、第１の精製水返送ライン１１０の一部、第２の精製水返送ライン１１２、装置内精製水返送ライン４２からなる循環ラインに循環させることができる。その結果、循環ラインおよび逆浸透膜モジュール１４の消毒を行うことができる。
また、精製水に薬液原液を添加する薬液原液添加手段（薬液原液ボトル９２、薬液原液供給ライン１１６、電磁弁１２４、逆止弁１２８および薬液原液ポンプ１３０）が設けられているため、精製水に薬液原液を添加して調製された消毒用薬液を精製水供給ライン１０２、バイパスライン１１４、第１の精製水返送ライン１１０等に通液させることができる。その結果、各ラインの消毒を行うことができる。
また、精製水を個人用透析装置で使用しないときは、常時、消毒が可能であり、各ライン等の消毒を容易に行うことができる。
【００７６】
５．また、以上説明した第２の実施形態の精製水製造装置内蔵カウンター１にあっては、加熱手段（ヒータ９４）の駆動および薬液原液添加手段の駆動を制御する制御装置８０をさらに備えるため、定期的に精製水供給ライン１０２等の消毒を行うことができる。
【００７７】
＜精製水製造装置内蔵カウンターのメンテナンス方法＞
以下、第２の実施形態の精製水製造装置内蔵カウンター１のメンテナンス方法について具体的に説明する。
【００７８】
（精製水製造装置から排水ラインへの精製水の送水）
第２の実施形態における精製水製造装置１０から排水ラインへの精製水の送水は、第１の実施形態と以下の点で異なる。
・加圧ポンプ６０を駆動させる前に、制御装置８０の処理部によって、精製水製造装置１０における電磁弁５０を開くとともに、薬液原液添加手段における電磁弁１２４を閉じ、三方弁１２２における精製水の流れを精製水供給ライン１０２側に切り替え、三方弁１２０における精製水の流れを第１の精製水返送ライン１１０側に切り替える。
【００７９】
（循環ラインおよび逆浸透膜モジュールの熱水による消毒）
原水移送ライン３２、精製水移送ライン３４、精製水供給ライン１０２、バイパスライン１１４、第１の精製水返送ライン１１０の一部、第２の精製水返送ライン１１２、装置内精製水返送ライン４２からなる循環ラインおよび逆浸透膜モジュール１４を熱水で消毒する際には、まず、循環ラインに精製水を循環させる。具体的には、制御装置８０の処理部によって、精製水製造装置１０における電磁弁５０を閉じ、三方弁１２０における精製水の流れを第２の精製水返送ライン１１２側に切り替え、加圧ポンプ６０を駆動させることによって、循環ラインにおける精製水の循環を開始する。
【００８０】
循環ラインへの精製水の循環を行いつつ、制御装置８０の処理部によって、精製水製造装置１０におけるヒータ９４を駆動させることによって、装置内精製水返送ライン４２の精製水の加熱を開始する。これによって、循環ラインに熱水が循環され、循環ラインおよび逆浸透膜モジュール１４が熱水で消毒される。
【００８１】
所定時間経過後、制御装置８０の処理部によって、精製水製造装置１０におけるヒータ９４を停止させることによって、装置内精製水返送ライン４２の精製水の加熱を停止する。制御装置８０の処理部において、温度センサから送られてくる精製水の温度情報（電気信号）に基づき精製水が常温に戻ったことを確認した後、制御装置８０の処理部によって、精製水製造装置１０における加圧ポンプ６０を停止させることによって、循環ラインにおける精製水の循環を停止する。
【００８２】
熱水による消毒は、例えば、制御装置８０のカレンダータイマの記憶部に記憶された運転スケジュールに基づいて行われる。
熱水による消毒の頻度は、１〜７日間に１回が好ましい。
循環ラインに熱水を循環させる時間は、１回あたり１０〜６０分間が好ましい。
熱水の温度は、温度センサによって得られた精製水の温度情報（電気信号）に基づいて制御装置８０の処理部によってヒータ９４を制御することによって調整される。熱水の温度は、８０〜９７℃が好ましい。
【００８３】
（精製水供給ラインの消毒用薬液による消毒）
精製水供給ライン１０２等を消毒用薬液で消毒する際には、まず、上述した手順にて精製水製造装置１０において精製水を製造するとともに、精製水製造装置１０から排水ラインに精製水を送水する。
【００８４】
精製水製造装置１０から排水ラインに精製水を送水しつつ、制御装置８０の処理部によって、薬液原液添加手段を駆動させる、すなわち電磁弁１２４を開き、薬液原液ポンプ１３０を駆動させることによって、精製水供給ライン１０２の精製水への薬液原液の添加を開始し、消毒用薬液を調製する。これによって、消毒用薬液が精製水供給ライン１０２、バイパスライン１１４、第１の精製水返送ライン１１０等に通液され、各ラインが消毒用薬液で消毒される。
【００８５】
所定時間経過後、制御装置８０の処理部によって、薬液原液ポンプ１３０を停止し、電磁弁１２４を閉じることによって、精製水供給ライン１０２の精製水への薬液原液の添加を停止するとともに、加圧ポンプ６０を停止させ、電磁弁５０を閉じることによって、精製水製造装置１０から排水ラインへの精製水の送水を停止する。このまま、精製水供給ライン１０２、バイパスライン１１４、第１の精製水返送ライン１１０等を消毒用薬液で漬け置き消毒する。
【００８６】
所定時間経過後、精製水製造装置１０において精製水を製造するとともに、精製水製造装置１０から排水ラインに精製水を送水することによって、精製水供給ライン１０２、バイパスライン１１４、第１の精製水返送ライン１１０等のすすぎを行う。
所定時間経過後、三方弁１２２における精製水の流れを洗浄水供給ライン１１８側に切り替え、薬液原液供給ライン１１６のすすぎを行う。
所定時間経過後、三方弁１２２における精製水の流れを精製水供給ライン１０２側に切り替え、加圧ポンプ６０を停止させ、電磁弁５０を閉じることによって、精製水製造装置１０から排水ラインへの精製水の送水を停止する。
【００８７】
消毒用薬液による消毒は、例えば、制御装置８０のカレンダータイマの記憶部に記憶された運転スケジュールに基づいて行われる。
消毒用薬液による消毒の頻度は、１〜７日間に１回が好ましい。
各ラインに消毒用薬液を通液させる時間は、１回あたり１〜１２０分間が好ましい。
各ラインを消毒用薬液で漬け置き消毒する時間は、１回あたり３０〜１４４０分間が好ましい。
精製水供給ライン１０２、バイパスライン１１４、第１の精製水返送ライン１１０等のすすぎ時間は、１回あたり１５〜１２０分間が好ましい。
薬液原液供給ライン１１６のすすぎ時間は、１回あたり２〜３０分間が好ましい。
【００８８】
薬液原液としては、例えば、次亜塩素酸ナトリウム水溶液、過酢酸、ホルマリン等が挙げられる。
薬液原液ボトル９２の薬液原液の濃度は、次亜塩素酸ナトリウム水溶液の場合、例えば、６０，０００〜１２０，０００ｐｐｍである。
精製水に薬液原液を添加して調製される消毒用薬液の濃度は、次亜塩素酸ナトリウム水溶液の場合、例えば、１〜２，０００ｐｐｍである。
【００８９】
（作用機序）
以上説明した第２の実施形態の精製水製造装置内蔵カウンター１のメンテナンス方法にあっては、定期的に、精製水製造装置１０で精製水を製造し、精製水を精製水供給ライン１０２およびバイパスライン１１４を経由して排水ラインに送水するため、精製水製造装置１０および精製水供給ライン１０２の滞留水をバイパスライン１１４を経由して第１の精製水返送ライン１１０に排出できる。その結果、精製水製造装置１０および精製水供給ライン１０２の汚染を抑えることができる。
また、精製水を個人用透析装置１０で使用しないときは、常時、消毒が可能であり、各ライン等の消毒を容易に行うことができる。
また、病室、治療室等に備え付けの収納カウンター２に精製水製造装置１０を収納したままで、精製水製造装置１０および精製水供給ライン１０２からの滞留水の排出、ならびに精製水供給ライン１０２等の消毒を行うことができるため、精製水製造装置１０および精製水供給ライン１０２の汚染を抑えるための作業の手間がかからず、汚染を抑えるための作業のために精製水製造装置１０を搬送する必要がない。
【００９０】
＜個人用透析装置への精製水の供給＞
図４は、図３の精製水製造装置内蔵カウンターに個人用透析装置を接続した様子を示す概略構成図である。
精製水を個人用透析装置２００に供給する際には、バイパスライン１１４の第１の端部は、精製水供給ライン１０２の第２の端部から取り外される。そして、精製水供給ライン１０２の第２の端部に、個人用透析装置２００が有する導水管２０２の末端を接続し、第２の排水導入ライン１０８の第１の端部に、個人用透析装置２００が有する排水管２０４の末端を接続する。
【００９１】
精製水製造装置１０において精製水を製造するとともに、個人用透析装置２００に精製水を供給する際には、制御装置８０の処理部によって、精製水製造装置１０における電磁弁５０を開き、薬液原液添加手段における電磁弁１２４を閉じ、三方弁１２２における精製水の流れを精製水供給ライン１０２側に切り替え、加圧ポンプ６０を駆動させることによって、活性炭フィルタ１２および逆浸透膜モジュール１４への原水の供給、ならびに個人用透析装置２００への精製水の供給を開始する。個人用透析装置２００からの排水は、第２の排水導入ライン１０８を経由して主排水ライン１０４に排出される。
【００９２】
精製水製造装置１０において精製水の製造を停止するとともに、個人用透析装置２００への精製水の供給を停止する際には、制御装置８０の処理部によって、精製水製造装置１０における加圧ポンプ６０を停止させ、電磁弁５０を閉じることによって、個人用透析装置２００への精製水の供給を停止する。
【００９３】
＜＜他の実施形態＞＞
なお、本発明の精製水製造装置内蔵カウンターは、内部に収納空間を有する収納カウンターと；収納カウンターの収納空間に収納された精製水製造装置と；第１の端部が精製水製造装置の精製水出口に接続され、第２の端部が収納カウンターの外部の他のラインと接続可能に配置された精製水供給ラインと；排水を外部に排出する排水ラインと；精製水供給ラインの第２の端部に着脱可能に接続し、精製水供給ラインを通過した精製水を排水ラインに直接送水するバイパスラインとを備えたものであればよく、図示例の第１の実施形態および第２の実施形態の精製水製造装置内蔵カウンター１に限定はされない。
【００９４】
例えば、本発明の精製水製造装置内蔵カウンターにおいては、精製水を加熱する加熱手段、および精製水に薬液原液を添加する薬液原液添加手段は、いずれか一方だけでもよく、いずれも設けなくてもよい。
また、本発明の精製水製造装置内蔵カウンターにおいては、バイパスラインの第２の端部を第２の排水導入ラインに接続してもよい。
また、本発明の精製水製造装置内蔵カウンターにおいては、バイパスラインを経由して第１の精製水返送ラインに送水された精製水は、排水せずに、第２の精製水返送ラインを経由して精製水製造装置１０に返送し、原水として再利用してもよい。
また、本発明の精製水製造装置内蔵カウンターにおいては、制御手段は必ずしも設ける必要はない。
また、本発明の精製水製造装置内蔵カウンターにおいては、第２の排水導入ラインは必ずしも設ける必要はない。
また、本発明の精製水製造装置内蔵カウンターにおいては、限外ろ過膜フィルタ９０は必ずしも設ける必要はない。
また、精製水製造装置は、精製水を製造できるものであればよく、精製水製造装置としては、公知の精製水製造装置を用いてもよい。
また、本発明の精製水製造装置内蔵カウンターには、消毒中を知らせる報知手段を設けてもよい。報知手段としては、制御装置８０の表示装置の画面への表示、ランプ等が挙げられる。
【産業上の利用可能性】
【００９５】
本発明の精製水製造装置内蔵カウンターは、透析治療等を行う病室、治療室等に備え付けられるカウンターとして有用である。
【符号の説明】
【００９６】
１  精製水製造装置内蔵カウンター、２  収納カウンター、１０  精製水製造装置、１２  活性炭フィルタ、１４  逆浸透膜モジュール、２０  原水入口、２２  精製水出口、２４  第１の精製水入口、２６  排水出口、２８  第２の精製水入口、３０  原水供給ライン、３２  原水移送ライン、３４  精製水移送ライン、３６  装置用排水ライン、３８  濃縮水排出ライン、４０  濃縮水返送ライン、４２  装置内精製水返送ライン、５０  電磁弁、５２  逆止弁、５４  逆止弁、６０  加圧ポンプ、７０  水質センサ、７２  流量センサ、８０  制御装置、８２  ディスプレイタッチパネル、９０  限外ろ過膜フィルタ、９２  薬液原液ボトル、９４  ヒータ、１００  給水ライン、１０２  精製水供給ライン、１０４  主排水ライン、１０６  第１の排水導入ライン、１０８  第２の排水導入ライン、１１０  第１の精製水返送ライン、１１２  第２の精製水返送ライン、１１４  バイパスライン、１１６  薬液原液供給ライン、１１８  洗浄水供給ライン、１２０  三方弁、１２２  三方弁、１２４  電磁弁、１２６  逆止弁、１２８  逆止弁、１３０  薬液原液ポンプ、１３２  サンプルポート、２００  個人用透析装置、２０２  導水管、２０４  排水管。
【図１】
2018103128.tif 000003
【図２】
2018103128.tif 000004
【図３】
2018103128.tif 000005
【図４】
2018103128.tif 000006